(57)【要約】      （修正有）【課題】多様なニーズに応える手帳型スマートフォンカバーを提供する。【解決手段】カバー内部基台面とスマートフォン本体に２組の面ファスナーを設け嵌合することで固定され保護される手帳型スマートフォンカバーであり、このカバーは左右を反転固定させることで左利きの人へ対応でき、基台面右半面１３の１箇所のみを嵌合させることで、カバーをＺ型に折りたたみ、片手で操作することができたり、スマートフォンスタンドとして利用できる。基台面左半面１２の１箇所のみを嵌合させることでカバー基台面右半面を裏側に折りたたみ背面カメラ部を露出させることを可能とした。スマートフォンカバーと留め具９は別部材で構成することで両開きに対応し、不要な場合は取り外すことができる。【選択図】図２
2020065897.tif 000002
【特許請求の範囲】
【請求項１】
二つ折りにしたカバーの間に携帯型通信機器である主にスマートフォンを挟み固定することにより当該スマートフォンを保護する手帳型の携帯型通信機器カバーにおいて、カバー内部基台面に面ファスナーを設け、スマートフォン本体又はスマートフォン入りケースの背面に設けた面ファスナーと嵌合することで固定され保護されるスマートフォンカバー。
【請求項２】
請求項１によるスマートフォンカバーの左右を反転させてカバー内部の左面でスマートフォンを固定させることで左利きの人へ対応したカバーになることを特徴とするスマートフォンカバー。
【請求項３】
請求項２によるカバー内部のスマートフォン基台面に２組の面ファスナーを設けることを特徴とするスマートフォンカバー。
【請求項４】
請求項３による面ファスナーの位置は、基台面が２つの面とそれを繋ぐ連接部からなる場合は左右の面１組づつ縦に設置する。基台面が３つ以上の面と複数の連接部からなる場合、左右両端の面に１組づつ縦に面ファスナーを設置することを特徴としたスマートフォンカバー。
【請求項５】
携帯型通信機器カバーと留め具は別部材で構成し、カバー表面と裏面それぞれにバネホック又は面ファスナーを設け、それに相対する留め具の位置にバネホック又は面ファスナーを２箇所設けることを特徴とする請求項１から請求項４までの少なくてもいづれか１項に記載のスマートフォンカバー。
【請求項６】
面ファスナーはクリックタイプのものであることを特徴とした請求項１から請求項５までの少なくてもいづれか１項に記載のスマートフォンカバー。
【請求項７】
携帯型通信機器カバー表面の内側にファンデルワールス力を用いることでカバーを閉じ、留め具を不要としたことを特徴とする請求項１から６までの少なくてもいづれか一項に記載のスマートフォンカバー。
【発明の詳細な説明】
【技術分野】
【０００１】  携帯型通信機器である主にスマートフォンの手帳型スマートフォンカバーにおいて、利用者のニーズは細分化され、多種多様であった。その多くのニーズに合わせることができるスマートフォンカバーに関するものである。
【背景技術】
【０００２】  二つ折りにしたカバーの間にスマートフォンを挟み固定することにより当該スマートフォンを保護する手帳型スマートフォンカバーにおいて、その種類は多様であった。
例えば、機種ごとに専用ケースが内臓され、カメラホールの位置も異なるためスマートフォンに対する種類の専用のカバーがあった。また、左利き専用ケースもある。基台面を折り曲げることでスマートフォンスタンドとして利用できたり、蓋を閉じる留め具が無いものもある。
多機種で使える手帳型カバーとして、粘着シートを用いてカバーとスマートフォン本体を固定しているタイプや、本体をスライドさせて背面カメラ部を使用するタイプも存在する。
【先行技術文献】
【特許文献】
【０００３】
【特許文献１】実用新案登録第３１９７７０９号
【特許文献２】実用新案登録第３２１０２４９号
【非特許文献１】ｈｔｔｐｓ：／／ｍｅｄｉａ．ｆａｓｈｉｏｎ−ｂａｌｌｏｏｎ．ｃｏｍ／ａｒｔｉｃｌｅｓ／ｍａｔｏｍｅ＿ｎｏｔｅｂｏｏｋ＿ｃａｓｅｓ
【発明の概要】
【発明が解決しようとする課題】
【０００４】  多種あるスマートフォンに対応したカバーを製造するにはコストがかかり、古くなった機種のカバーは需要が見込まれなかった。また、利用者は機種変更する度にカバーを替えなければならなかったので、双方に無駄が多かった。
自撮り棒を使って撮影する場合は、カバーから本体の取り外しに手間取った。
内部に機種専用ケース（図１の２）が内臓されず、カバーにカメラホールを設けないタイプの手帳型カバーは多機種のスマートフォンに対応しているが、その場合、粘着シートで固定され、カメラ撮影時にはカバー外部へスマートフォン本体をスライドさせる機構が設けられているが、装置が複雑であったり使い勝手が悪かった。粘着シートの繰り返しの使用では耐久性にも問題があり落下の心配もあった。また、粘着シートで固定させるスマートフォンカバーでは基台面を折り曲げてスタンドとして利用することはできず片手での操作はできなかった。手帳型カバーを閉じる留め具も必要とする場合もあるが、操作する時には不要なものであった。それらの多くのニーズに応えうる手帳型カバーは存在しなかった。
【課題を解決するための手段】
【０００５】  手帳型スマートフォンカバーにおいて、カバー内部基台面のスマートフォン背面カメラ部に相対する箇所以外のいづれかに面ファスナーを設け、それに相対するスマートフォンの背面に設けた面ファスナーと嵌合することで固定され保護されるスマートフォンカバーとなる。このカバーは左右を反転させてカバー内部左面を基台面とし、スマートフォンを固定させることで容易に左利きの人へ対応したスマートフォンカバーとなる。
また、面ファスナーを設置する位置は、カバー内部のスマートフォン基台面に２箇所設置する。基台左半面（図２の１２）の縦に面ファスナーを設け右半面（図２の１３）の縦に面ファスナーを設ける。このカバーに相対するようにスマートフォンに設けた面ファスナー（図１の５）と嵌合することで本体が保護されるカバーとなる。右利きの人はカバー２箇所の面ファスナーをスマートフォンと嵌合させることで、より強力に固定でき通常の手帳型スマートフォンカバーとして使用できる。基台面右半面の１箇所のみを嵌合させることで、カバーがＺ型に折りたたむ（図４）ことができるので片手でカバー付きのスマートフォンを持って操作することができたり、スマートフォンスタンドとして利用できる。基台面左半面の１箇所のみを嵌合させることでカバー基台面右半面を裏側に折りたたみ背面カメラ部を露出させることでカメラが使用できることを可能とした。また、左利きの人が使用する場合は、カバー左面で左右の２箇所を嵌合させることでより強固に固定でき通常の手帳型スマートフォンカバーとして使用できる。機台面左側の１箇所のみを嵌合させることで、Ｚ型（図あ）に折りたたんで片手で持ちながら操作でき、なおかつ背面カメラも使用できることを可能とした。ここで述べる面ファスナーとはマッシュルーム状に起毛されていて結合力が強いクリックタイプのものが望ましい。面ファスナー同士を合わせて重ねるだけでは嵌合されずに押し込むことで固定されるので、手帳を閉じても常にスマートフォンカバーの一方だけを嵌合させておくこともできる。よって常に使い勝手のよい状態で手帳型カバーを使えるようになった。
カバーを折り曲げずにスマートフォン背面カメラを使用する際は、背面カメラ部がカバーから露出するように面ファスナーで嵌合しなおして（図６）使用するか、カバーからスマートフォンを取り出して使用する。よって自撮り棒を使う際には簡単に脱着できるようになった。
スマートフォンカバーと留め具は一体化させずに別部材で構成する。カバー表面と裏面にバネホック又は面ファスナーを設け、それに相対する位置の留め具にバネホック又は面ファスナーを２箇所設ける。留め具は当該カバーを包み込む部材であり、カバーと留め具を嵌合することで閉じることができる。留め具が必要な利用者は留め具の一方を開け閉めすることで両開きに対応し、不要な利用者は取り外すことができるようになった。
【発明の効果】
【０００６】  機種や使い勝手によって選んでいたカバーが、スマートフォンのサイズだけ合わせることで選べるようになった。スマートフォンカバー利用者のニーズに合わせて右利きの人も左利きの人も片手でスマートフォンが操作できたり、スマートフォンスタンドとして利用できたり、背面のカメラホールがなくてもすぐに背面カメラを使用できるカバーにできたり汎用性が広がる。今までは古い機種の不要になったスマートフォンカバーは用途が無くなり使い捨てられることが多かったが、スマートフォンのサイズが同じであれば機種変更しても引き続き使えるようになるので、無駄がなくなりエコである。これまでの手帳型カバーは留め具の付け根部分が壊れやすかったが、留め具だけ交換することができたり、両開きにも対応し、留め具が不要な利用者は留め具を外して使うことでより多様なニーズに応えられるスマートフォンカバーとなる。
スマートフォン又はスマートフォンを嵌め込んだケースとカバーは強固に嵌合され、かつ容易に脱着できるので、カバーだけを季節やその日の気分によって簡単に交換することができる。人がファッションを楽しむためにお着替えをするように、スマホのお洒落を簡単に楽しめるようになった。大幅な製造コストの削減につながり、耐久性やデザイン・ファッション性を重視したカバーを製造できるようになるので、広告媒体ともなりえる。
【図面の簡単な説明】
【０００７】
【図１】スマートフォン本体と専用ケースとカバーの関係
【図２】カバーの正面図と斜視図
【図３】基台面左側のみを固定させて背面カメラ部が使える状態の図
【図４】基台面右側のみを固定させて折りたたんだ状態の図
【図５】カバー表面と留め具の図
【図６】面ファスナーを嵌合しなおしてカメラを使えるようにした図
【発明を実施するための形態】
【０００８】  二つ折りにしたカバーの間に携帯型通信機器である主にスマートフォンを挟み固定することにより当該スマートフォンを保護する手帳型スマートフォンカバーにおいて、カバー内部基台面のスマートフォン背面カメラ部に相対する箇所以外のいづれかに面ファスナーを設け、それに相対するスマートフォン本体、又はスマートフォンを当該機種専用ケースに嵌め込んだスマートフォン入りケースの背面に設けた面ファスナーと嵌合することで固定され保護されるスマートフォンカバーであり、このカバーは左右を反転させてカバー内部左半面でスマートフォンを固定させることで容易に左利きの人へ対応したスマートフォンカバーとなる。
また、面ファスナーを設置する位置は、カバー内部のスマートフォン基台面に２箇所設置する。基台面左半面（図２の１２）に面ファスナーを縦方向に設け右半面（図２の１３）にも縦方向に面ファスナーを設ける。基台面を３：０．５：１：０．５：５の割合の幅で区切った時、３：１：５の部分は芯材を入れたカバー部となり、２箇所ある０．５の幅はカバー内部を縦にスリットを入れることで自在に折れ曲がる連接部とする。カバー側面の表カバーと裏カバーを繋ぐスマートフォンの厚みを持たせた連接部２箇所と合わせて計４箇所自在に折れ曲がる構造とし、汎用性が広がるものとなる。面ファスナーを設置するのは３と５に区切った部分の面２箇所であり、これはスマートフォン背面カメラが中央に存在する機種もあるため基台面には２箇所の折り曲げ可能な連接部を持たせたものである。ここで述べた基台面を区切る割合は一例であって、連接部は背面カメラ部を使用する際にカバーが邪魔にならない箇所に設ける。基台面が自由に折れ曲がる素材でできたカバーである場合はこの限りではないが、どのカバーでもスマートフォンが嵌合するように、２組の面ファスナーの設置幅はカバーのサイズごとに一定に揃えて設ける。このカバーに相対するようにスマートフォン又は、スマートフォン入りのケース背面に設けた面ファスナーと嵌合することで本体が保護されるカバーとなる。右利きの人はカバー２箇所の面ファスナーをスマートフォンと嵌合させることで、より強力に固定でき通常の手帳型スマートフォンカバーとして使用できる。基台面右半面の１箇所のみを嵌合させることで、カバーがＺ型に折りたたむ（図４）ことができるので片手でカバー付きのスマートフォンを持って操作することができたり、スマートフォンスタンドとして利用できる。基台面左半面の１箇所のみを嵌合させることでカバー基台面右半面を裏側に折りたたみ背面カメラを露出させることでカメラが使用できることを可能とした。また、左利きの人が使用する場合は、カバー左面で左右の２箇所を嵌合させることでより強固に固定でき通常の手帳型スマートフォンカバーとして使用できる。基台面左半面の１箇所のみを嵌合させることで、Ｚ型（図あ）に折りたたんで片手で持ちながら操作でき、なおかつ背面カメラも使用できることを可能とした。ここで述べた面ファスナーとはマッシュルーム状に起毛されていて結合力が強いクリックタイプのものが望ましい。面ファスナー同士を合わせて重ねるだけでは嵌合されずに押し込むことで固定されるので、手帳を閉じても常にスマートフォンカバーの一方だけを嵌合させておくこともできる。よって常に使い勝手のよい状態で手帳型カバーを使えるようになった。
カバーを折り曲げずにスマートフォン背面カメラ部を使用する際は、背面カメラ部がカバーから露出するように面ファスナーで嵌合しなおして（図６）使用するか、カバーからスマートフォンを取り出して使用する方法もある。よって自撮り棒を使う際には簡単に脱着できるようになった。
スマートフォンカバーと留め具は一体化させずに別部材で構成する（図５）。カバー表面と裏面にバネホック又は面ファスナーを設け、それに相対する位置の留め具にバネホック又は面ファスナーを２箇所設ける。留め具は当該カバーを包み込む部材でありカバーと留め具を嵌合することで閉じることができる。留め具が必要な利用者は留め具の一方を開け閉めすることで両開きに対応し、不要な利用者は取り外すことができるようになった。
【符号の説明】
【０００９】  １．スマートフォン  ２．スマートフォン専用ケース  ３．スマートフォンカバー  ４．基台面  ５．面ファスナー  ６．収納ポケット  ７．ストラップ取り付け穴  ８．カメラホール  ９．留め具  １０．バネホック又は面ファスナー  １１．連接部  １２．基台面左半面  １３．基台面右半面  １４．手
【図１】
2020065897.tif 000003
【図２】
2020065897.tif 000004
【図３】
2020065897.tif 000005
【図４】
2020065897.tif 000006
【図５】
2020065897.tif 000007
【図６】
2020065897.tif 000008